(57)【要約】【課題】  組立作業能率が高くガイドシャフトの高さ調整状態を確実に維持すること。【解決手段】  光ピックアップをディスクの半径方向に沿って往復移動可能に支持するガイドシャフト１０がトラバースシャーシ４に架設され、該ガイドシャフト１０の端部とトラバースシャーシ４と間にコイルばね３５が介在され、該トラバースシャーシ４のねじ孔３３に螺合されてガイドシャフト１０の端部に係合することによりコイルばね３５に抗して該ガイドシャフト１０の高さを調整する調整ねじ３４が設けられ、前記コイルばね３５の一端側を小径部３５Ａとし他端側を大径部３５Ｂとしており、小径部３５Ａをトラバースシャーシ４の凹部３６内に嵌入させると共に、大径部３５Ｂをガイドシャフト１０に当接させることにより、コイルばね３５がガイドシャフト１０と凹部３６の底面３６ａとの間に介在されている。【選択図】        図４
2007287266.tif 000002
【特許請求の範囲】
【請求項１】
ディスク載置用ターンテーブルを搭載したトラバースシャーシの中央開口部に光ピック
アップが配置され、その光ピックアップをディスクの半径方向に沿って往復移動可能に支
持するガイドシャフトが前記トラバースシャーシに架設され、該ガイドシャフトの端部と
トラバースシャーシと間にばね部材が介在され、該トラバースシャーシのねじ孔に螺合さ
れてガイドシャフトの端部に係合することにより前記該ばね部材に抗して該ガイドシャフ
トの高さを調整する調整ねじが設けられており、前記ターンテーブルにより高速回転させ
たディスクに記録されている情報を光ピックアップにより読み取るようにしたディスク装
置において、前記ばね部材として、一端側を小径部とし他端側を大径部としたコイルばね
が用いられ、前記小径部の外径がガイドシャフトの外径とほぼ同一に設定されると共に、
前記大径部の外径がガイドシャフトの外径の１．５〜２．５（好ましくは１．８〜２．２
）倍に設定され、前記ガイドシャフトの端部に対向して前記トラバースシャーシに凹部が
形成され、該凹部の底面の外径が前記小径部の外径よりも若干大きく設定されており、小
径部を凹部内に嵌入させると共に、大径部の両端面をガイドシャフトとトラバースシャー
シとに当接させることにより、コイルばねがガイドシャフトの端部と凹部の底面との間に
介在されていることを特徴とするディスク装置。
【請求項２】
ディスク載置用ターンテーブルを搭載したトラバースシャーシの中央開口部に光ピック
アップが配置され、その光ピックアップをディスクの半径方向に沿って往復移動可能に支
持するガイドシャフトが前記トラバースシャーシに架設され、該ガイドシャフトの端部と
トラバースシャーシと間にばね部材が介在され、該トラバースシャーシのねじ孔に螺合さ
れてガイドシャフトの端部に係合することにより前記該ばね部材に抗して該ガイドシャフ
トの高さを調整する調整ねじが設けられており、前記ターンテーブルにより高速回転させ
たディスクに記録されている情報を光ピックアップにより読み取るようにしたディスク装
置において、前記ばね部材として、一端側を小径部とし他端側を大径部としたコイルばね
が用いられ、前記大径部の外径が前記ガイドシャフトの外径よりも大きく設定され、前記
ガイドシャフトの端部に対向して前記トラバースシャーシに凹部が形成されており、小径
部を凹部内に嵌入させると共に、大径部の端面をガイドシャフトに当接させることにより
、コイルばねがガイドシャフトの端部と凹部の底面との間に介在されていることを特徴と
するディスク装置。
【請求項３】
前記小径部の外径がガイドシャフトの外径とほぼ同一に設定されると共に、大径部の外
径がガイドシャフトの外径の１．５〜２．５（好ましくは１．８〜２．２）倍に設定され
、前記凹部の底面の外径が前記コイルばねの小径部の外径よりも若干大きく設定されてい
ることを特徴とする請求項２に記載のディスク装置。
【請求項４】
前記大径部の両端面がガイドシャフトとトラバースシャーシとに当接されていることを
特徴とする請求項２または３に記載のディスク装置。
【発明の詳細な説明】
【技術分野】
【０００１】
本発明は、例えばＤＶＤプレーヤやＤＶＤレコーダなどのディスク装置に関し、特に、
組立作業能率が高くガイドシャフトの高さ調整状態を確実に維持することができるように
したものである。
【背景技術】
【０００２】
従来、ディスク装置の技術の一例として図８〜図１０に示すものがある。これはＤＶＤ
プレーヤであって、前面にディスク挿入口１ａを有する筐体１内にトレイ２を前後進ａ，
ｂ可能に支持するローダーシャーシ３が設けられ、該ローダーシャーシ３内に配置した金
属板製トラバースシャーシ４の後部が枢支軸５を介してそのローダーシャーシ３に上下動
ｃ，ｄ可能に枢支され、前記トラバースシャーシ４の前部にディスクＤ載置用ターンテー
ブル６付きスピンドルモータ７が搭載されると共に、該トラバースシャーシ４の中央開口
部４ａに対物レンズＯＬ付き光ピックアップ８が配置され、該光ピックアップ８の一側部
に形成した係合部８ａを中央開口部４ａの一側縁に設けたガイドレール９に係合させると
共に、その光ピックアップ８の他側部に形成したガイド孔８ｂを中央開口部４ａの他側縁
に沿って架設したガイドシャフト１０に係合させることにより、光ピックアップ８がディ
スクＤの半径方向に沿って往復移動可能に形成されている。
【０００３】
図８に示すように、光ピックアップ８をラック・ピニオン機構１２及びウォ−ム機構１
３を介して往復移動させるフィードモータ１４がトラバースシャーシ４に設けられると共
に、該フィードモータ１４によりギヤ機構１５を介して正逆回転ｅ，ｆされる従動ピニオ
ン１６がローダーシャーシ３の前部に配置されている。
【０００４】
前記従動ピニオン１６に係脱可能に噛合するスライドラック１８ａを一体形成したカム
スライダ１８がローダーシャーシ３の前部に前後進ａ，ｂ方向とは直交する左右方向ｇ，
ｈに沿ってスライド可能に配置され、該カムスライダ１８のカム溝１８ｂに嵌入するカム
ピン１９がトラバースシャーシ４の前面に一体突設され、前記カムスライダ１８にトリガ
ープレート２１が一体形成され、前記ラック・ピニオン機構１２のラック前端に突設した
操作ピン２２に対向してトリガープレート２１の下面に斜めに傾斜する操作溝２３が形成
されている。図９中、２５はローダーシャーシ３の両側板間に架設した横桟２６の中央収
納部２６ａ内に一定範囲内昇降可能に配置したクランパであって、該クランパ２５の下面
に設けたマグネットの磁力により、そのクランパ２５とターンテーブル６とでディスクＤ
をクランプする。
【０００５】
情報読取動作を説明すると、図９の実線はプレイモードを示しており、ディスクＤをタ
ーンテーブル６とクランパ２５とでクランプした状態で、スピンドルモータ７によりター
ンテーブル６を介してディスクＤを高速回転させ、フィードモータ１４を駆動してウォ−
ム機構１３及びラック・ピニオン機構１２を介して光ピックアップ８を前後進ａ，ｂさせ
、該光ピックアップ８によりディスクＤに記録されている映像情報の再生を行う。
【０００６】
上記構成において、トレイオープン時には、光ピックアップ８を前進ａさせることによ
り、操作ピン２２が操作溝２３内に入って該操作溝２３の傾斜状内側面を押すことにより
、カムスライダ１８が矢印ｇ方向にわずかにスライドされ、スライドラック１８ａを従動
ピニオン１６に噛合させる。この噛合状態で従動ピニオン１６を正転ｅさせることにより
、カムスライダ１８を矢印ｇ方向にスライドさせ、カム溝１８ｂ及びカムピン１９を介し
てトラバースシャーシ４を下動ｄさせことにより、ディスクＤをターンテーブル６からト
レイ２上に移し換える（図９仮想線参照）。続いて、スライドラック１８ａが従動ピニオ
ン１６から離間され、それとほぼ同時に、従動ピニオン１６に一体形成した大径ピニオン
１６ａにトレイ２の下面のラック（図示せず）が噛合され、該大径ピニオン１６ａの正転
ｅによりトレイ２が前進ａされる（図９仮想線参照）。そのオープン状態のトレイ２から
ディスクＤを取り出したり新たなディスクＤをトレイ２上に載置する。
【０００７】
トレイイン時には上記とは逆の操作がなされる。
【０００８】
図１０に示すように、ガイドシャフト１０の一端部に対向してトラバースシャーシ４か
ら支持片２７が切り起こされると共に、該ガイドシャフト１０の他端部に対向してトラバ
ースシャーシ４に貫通孔２９及び切り起こし片３０と横規制片３１とが形成されている。
【０００９】
ガイドシャフト１０の連結手順を説明すると、図１０に示すように、ガイドシャフト１
０の一端部を支持片２７の支持孔２７ａに嵌入させると共に、該ガイドシャフト１０の他
端部につる巻きばね（ばね部材）３２を外嵌させ、そのガイドシャフト１０の他端部を横
規制片３１の上向き凹溝３１ａに嵌入させると同時に、つる巻きばね３２の両端を貫通孔
２９と切り起こし片３０とに係合させ、トラバースシャーシ４のねじ孔３３に螺合させた
調整ねじ３４の先端をガイドシャフト１０の他端部に当接させ、該調整ねじ３４を正逆回
転させてつる巻きばね３２に抗してガイドシャフト１０の高さを調整することにより、光
ピックアップ８からディスクＤに対して投射するレーザ光の投射角度が直角になるように
設定する。
【００１０】
上記構成によれば、つる巻きばね３２をガイドシャフト１０の他端部に外嵌させてその
両端を貫通孔２９と切り起こし片３０とに係合させるのに手間と時間とがかかって面倒で
あり、組立作業能率が低いという難点がある。
【００１１】
そこで、図１１及び図１２（ａ）に示すように、つる巻きばね３２に代えてコイルばね
３５を用いると共に、ガイドシャフト１０の他端部に対向してトラバースシャーシ４に凹
部３６を板金加工により形成し、調整ねじ３４の頭部下面３４ａをガイドシャフト１０の
他端部に当接させた状態で、コイルばね３５をガイドシャフト１０の他端部と凹部３６の
底面３６ａとの間に介在させ、前記調整ねじ３４を正逆回転させてコイルばね３５に抗し
てガイドシャフト１０の高さを調整することが考えられる。
【特許文献１】特開２０００−１０５９３２号公報
【発明の開示】
【発明が解決しようとする課題】
【００１２】
上記従来の構成では、コイルばね３５をガイドシャフト１０の他端部と凹部３６の底面
３６ａとの間に容易に介在させることができ、組立作業能率が高いが、調整ねじ３４を正
逆回転させてガイドシャフト１０の高さを調整する際にコイルばね３５が伸縮され、その
伸縮により変化するばね力によりコイルばね３５が斜めに押されて傾斜状態になることが
あり〔図１２（ｂ）実線参照〕、この傾斜状態では、コイルばね３５とガイドシャフト１
０との重複幅αが極めて小さいので、そのコイルばね３５が傾斜状態のままで出荷される
と、搬送時の衝撃などでコイルばね３５が飛び出すおそれがあり〔図１２（ｂ）仮想線参
照〕、これでは、ガイドシャフト１０の高さが未調整状態となり、光ピックアップ８によ
りディスクＤに記録されている情報を正確に読み取ることができなくなる。
【００１３】
本発明は、上記従来の欠点に鑑み、組立作業能率が高くガイドシャフトの高さ調整状態
を確実に維持することができるディスク装置を提供することを目的としている。
【課題を解決するための手段】
【００１４】
上記目的を達成するため、請求項１に記載の発明は、ディスク載置用ターンテーブルを
搭載したトラバースシャーシの中央開口部に光ピックアップが配置され、その光ピックア
ップをディスクの半径方向に沿って往復移動可能に支持するガイドシャフトが前記トラバ
ースシャーシに架設され、該ガイドシャフトの端部とトラバースシャーシと間にばね部材
が介在され、該トラバースシャーシのねじ孔に螺合されてガイドシャフトの端部に係合す
ることにより前記該ばね部材に抗して該ガイドシャフトの高さを調整する調整ねじが設け
られており、前記ターンテーブルにより高速回転させたディスクに記録されている情報を
光ピックアップにより読み取るようにしたディスク装置において、前記ばね部材として、
一端側を小径部とし他端側を大径部としたコイルばねが用いられ、前記小径部の外径がガ
イドシャフトの外径とほぼ同一に設定されると共に、前記大径部の外径がガイドシャフト
の外径の１．５〜２．５（好ましくは１．８〜２．２）倍に設定され、前記ガイドシャフ
トの端部に対向して前記トラバースシャーシに凹部が形成され、該凹部の底面の外径が前
記小径部の外径よりも若干大きく設定されており、小径部を凹部内に嵌入させると共に、
大径部の両端面をガイドシャフトとトラバースシャーシとに当接させることにより、コイ
ルばねがガイドシャフトの端部と凹部の底面との間に介在されていることを特徴としてい
る。
【００１５】
請求項２に記載の発明は、ディスク載置用ターンテーブルを搭載したトラバースシャー
シの中央開口部に光ピックアップが配置され、その光ピックアップをディスクの半径方向
に沿って往復移動可能に支持するガイドシャフトが前記トラバースシャーシに架設され、
該ガイドシャフトの端部とトラバースシャーシと間にばね部材が介在され、該トラバース
シャーシのねじ孔に螺合されてガイドシャフトの端部に係合することにより前記該ばね部
材に抗して該ガイドシャフトの高さを調整する調整ねじが設けられており、前記ターンテ
ーブルにより高速回転させたディスクに記録されている情報を光ピックアップにより読み
取るようにしたディスク装置において、前記ばね部材として、一端側を小径部とし他端側
を大径部としたコイルばねが用いられ、前記大径部の外径が前記ガイドシャフトの外径よ
りも大きく設定され、前記ガイドシャフトの端部に対向して前記トラバースシャーシに凹
部が形成されており、小径部を凹部内に嵌入させると共に、大径部の端面をガイドシャフ
トに当接させることにより、コイルばねがガイドシャフトの端部と凹部の底面との間に介
在されていることを特徴としている。
【００１６】
請求項３に記載の発明は、請求項２に記載の発明において、前記小径部の外径がガイド
シャフトの外径とほぼ同一に設定されると共に、大径部の外径がガイドシャフトの外径の
１．５〜２．５（好ましくは１．８〜２．２）倍に設定され、前記凹部の底面の外径が前
記コイルばねの小径部の外径よりも若干大きく設定されていることを特徴としている。
【００１７】
請求項４に記載の発明は、請求項２または３に記載の発明において、前記大径部の両端
面がガイドシャフトとトラバースシャーシとに当接されていることを特徴としている。
【発明の効果】
【００１８】
請求項１に記載の発明は第２の実施の形態（図６及び図７参照）に対応するものであっ
て、これによれば、コイルばねをガイドシャフトの端部と凹部の底面との間に容易に介在
させることができ、従来のつる巻きばねを用いる場合に比べて能率良く組立作業を行うこ
とができる。
【００１９】
また、前記コイルばねとして一端部を小径部とし他端部を大径部としたものが用いられ
ており、その大径部の外径がガイドシャフトの外径の１．５倍未満であれば、傾斜状態の
ままで出荷されたコイルばねが搬送時の衝撃などで不測に飛び出すおそれがあり、また、
その大径部の外径がガイドシャフトの外径の２．５倍を超えると、コイルばねが傾斜状態
にされたときに隣接する調整ねじなどに接触してガイドシャフトの高さ調整を阻害するお
それがある。そこで、大径部の外径がガイドシャフトの外径の１．５〜２．５（好ましく
は１．８〜２．２）倍に設定されており、これによって、調整ねじを正逆回転させてガイ
ドシャフトの高さを調整する際にコイルばねが伸縮され、その伸縮により変化するばね力
によりコイルばねが斜めに押されて傾斜状態になったとしても、コイルばねの大径部とガ
イドシャフトとの重複幅が充分に確保されているので、そのコイルばねが傾斜状態のまま
で出荷されたとしても、搬送時の衝撃などでコイルばねが飛び出すことがなく、ガイドシ
ャフトの高さ調整状態を確実に維持して、光ピックアップによるディスクに記録されてい
る情報の読み取りを正確に行うことができる。
【００２０】
更に、コイルばねの小径部の外径がガイドシャフトの外径とほぼ同一の扱いやすい大き
さに設定されると共に、凹部の底面の外径がコイルばねの小径部の外径よりも若干大きく
設定されているから、そのコイルばねをガイドシャフトの端部と凹部の底面との間に容易
に差し込むことができる。
【００２１】
しかも、コイルばねの大径部の両端面がガイドシャフトとトラバースシャーシとに当接
されるので、調整ねじを正逆回転させてガイドシャフトの高さを調整する際にコイルばね
が伸縮され、その伸縮により変化するばね力によりコイルばねが斜めに押されて傾斜状態
になっても、その傾斜状態を簡単に解消してコイルばねを元の正常状態に戻すことができ
る。
【００２２】
請求項２に記載の発明は基本形態に対応するものであって、これによれば、コイルばね
をガイドシャフトの端部と凹部の底面との間に容易に介在させることができ、従来のつる
巻きばねを用いる場合に比べて能率良く組立作業を行うことができる。
【００２３】
また、前記コイルばねとして一端部を小径部とし他端部を大径部としたものが用いられ
、該大径部の外径がガイドシャフトの外径よりも大きく設定されており、調整ねじを正逆
回転させてガイドシャフトの高さを調整する際にコイルばねが伸縮され、その伸縮により
変化するばね力によりコイルばねが斜めに押されて傾斜状態になったとしても、コイルば
ねの大径部とガイドシャフトとの重複幅が充分に確保されているので、そのコイルばねが
傾斜状態のままで出荷されたとしても、搬送時の衝撃などでコイルばねが飛び出すことが
なく、ガイドシャフトの高さ調整状態を確実に維持して、光ピックアップによるディスク
に記録されている情報の読み取りを正確に行うことができる。
【００２４】
請求項３に記載の発明によれば、コイルばねの小径部の外径がガイドシャフトの外径と
ほぼ同一の扱いやすい大きさに設定されると共に、凹部の底面の外径がコイルばねの小径
部の外径よりも若干大きく設定されているから、そのコイルばねをガイドシャフトの端部
と凹部の底面との間に容易に差し込むことができる。
【００２５】
コイルばねの大径部の外径がガイドシャフトの外径の１．５倍未満であれば、傾斜状態
のままで出荷されたコイルばねが搬送時の衝撃などで不測に飛び出すおそれがあり、また
、その大径部の外径がガイドシャフトの外径の２．５倍を超えると、コイルばねが傾斜状
態にされたときに隣接する調整ねじなどに接触してガイドシャフトの高さ調整を阻害する
おそれがある。そこで、大径部の外径がガイドシャフトの外径の１．５〜２．５（好まし
くは１．８〜２．２）倍に設定されており、これによって、傾斜状態のままで出荷された
コイルばねが搬送時の衝撃などで不測に飛び出すことがなく、しかも、傾斜状態のコイル
ばねが隣接する調整ねじなどに接触しないようにすることができ、ガイドシャフトの高さ
調整状態を確実に維持して、光ピックアップによるディスクに記録されている情報の読み
取りを正確に行うことができる。
【００２６】
請求項４に記載の発明によれば、コイルばねの大径部の両端面がガイドシャフトとトラ
バースシャーシとに当接されるので、調整ねじを正逆回転させてガイドシャフトの高さを
調整する際にコイルばねが伸縮され、その伸縮により変化するばね力によりコイルばねが
斜めに押されて傾斜状態になっても、その傾斜状態を簡単に解消してコイルばねを元の正
常状態に戻すことができる。
【発明を実施するための最良の形態】
【００２７】
図１〜図５は本発明の第１の実施の形態であるディスクプレーヤ（ディスク装置）を示
すものであって、一端側を小径部３５Ａとし他端側を大径部３５Ｂとしたコイルばね（ば
ね部材）３５が用いられ、前記小径部３５Ａの外径ｄ１がガイドシャフト１０の外径ｄ３
とほぼ同一に設定されると共に、前記大径部３５Ｂの外径ｄ２がガイドシャフト１０の外
径ｄ３よりも大きく設定され、凹部３６の底面３６ａの外径ｄ４が前記小径部３５Ａの外
径ｄ１よりも若干大きく設定されている。上記以外の構成で図８〜図１２に示す構成と同
一部分に同一符号を付してその説明を省略する。
【００２８】
ガイドシャフト１０の連結手順を説明すると、図２に示すように、ガイドシャフト１０
の一端部を支持片２７の支持孔２７ａに嵌入させると共に、該ガイドシャフト１０の他端
部を横規制片３１の上向き凹溝３１ａに嵌入させ、トラバースシャーシ４のねじ孔３３に
螺合させた調整ねじ３４の頭部下面３４ａをガイドシャフト１０の他端部に当接させ、図
３及び図４（ａ）に示すように、コイルばね３５の小径部３５Ａを凹部３６内に嵌入させ
ると共に、該コイルばね３５の大径部３５Ｂをガイドシャフト１０に当接させることによ
り、コイルばね３５をガイドシャフト１０と凹部３６の底面３６ａとの間に介在させ、調
整ねじ３４を正逆回転させてコイルばね３５に抗してガイドシャフト１０の高さを調整す
ることにより、光ピックアップ８からディスクＤに対して投射するレーザ光の投射角度が
直角になるように設定する。
【００２９】
上記構成によれば、コイルばね３５をガイドシャフト１０の他端部と凹部３６の底面３
６ａとの間に容易に介在させることができ、従来のつる巻きばね３２（図１０参照）を用
いる場合に比べて能率良く組立作業を行うことができる。
【００３０】
また、前記コイルばね３５として一端部を小径部３５Ａとし他端部を大径部３５Ｂとし
たものが用いられており、その大径部３５Ｂの外径ｄ２がガイドシャフト１０の外径ｄ３
の１．５〜２．５（好ましくは１．８〜２．２）倍に設定されている。ここで、大径部３
５Ｂの外径ｄ２がガイドシャフトの外径の１．５倍未満であれば、傾斜状態のままで出荷
されたコイルばね３５が搬送時の衝撃などで不測に飛び出すおそれがあり〔図４（ｂ）参
照〕、また、その大径部３５Ｂの外径ｄ２がガイドシャフト１０の外径ｄ３の２．５倍を
超えると、コイルばね３５が傾斜状態にされたときに隣接する調整ねじ３４などに接触し
てガイドシャフト１０の高さ調整を阻害するおそれがある。
【００３１】
そこで、大径部３５Ｂの外径ｄ２がガイドシャフトの外径ｄ３の１．５〜２．５（好ま
しくは１．８〜２．２）倍に設定されており、これによって、調整ねじ３４を正逆回転さ
せてガイドシャフト１０の高さを調整する際にコイルばね３５が伸縮され、その伸縮によ
り変化するばね力によりコイルばね３５が斜めに押されて傾斜状態になったとしても〔図
４（ｂ）参照〕、コイルばね３５の大径部３５Ｂとガイドシャフト１０との重複幅αが充
分に確保されているので、そのコイルばね３５が傾斜状態のままで出荷されたとしても、
搬送時の衝撃などでコイルばね３５が飛び出すことがなく〔図１２（ｂ）仮想線参照〕、
ガイドシャフト１０の高さ調整状態を確実に維持して、光ピックアップ８によるディスク
Ｄに記録されている情報の読み取りを正確に行うことができる。
【００３２】
更に、コイルばね３５の小径部３５Ａの外径ｄ１がガイドシャフト１０の外径ｄ３とほ
ぼ同一の扱いやすい大きさに設定されると共に、凹部３６の底面３６ａの外径ｄ４がコイ
ルばね３５の小径部３５Ａの外径ｄ１よりも若干大きく設定されているから、そのコイル
ばね３５をガイドシャフト１０の他端部と凹部３６の底面３６ａとの間に容易に差し込む
ことができる。
【００３３】
具体的寸法の一例を示すと、大径部３５Ｂの外径ｄ２が５ｍｍ、ガイドシャフト１０の
外径ｄ３が２．５ｍｍであって、その大径部３５Ｂの外径ｄ２がガイドシャフト１０の外
径ｄ３の２倍に設定されている。また、小径部３５Ａの外径ｄ１が２．５ｍｍ、凹部３６
の底面３６ａの外径ｄ４が３ｍｍに設定されている。
【００３４】
図６及び図７は本発明の第２の実施の形態であるディスクプレーヤ（ディスク装置）の
要部を示すものであって、コイルばね３５の大径部３５Ｂの巻き数を多くすることにより
、該大径部３５Ｂの両端面３５ａ．３５ｂがガイドシャフト１０とトラバースシャーシ４
とに当接されるようにしている。上記以外の構成は第１の実施の形態（図１〜図５参照）
とほぼ同じであるから、同一部分に同一符号を付してその説明を省略する。
【００３５】
上記構成によれば、第１の実施の形態（図１〜図５参照）とほぼ同じ効果を得ることが
でき、特に、コイルばね３５の大径部３５Ｂの両端面３５ａ．３５ｂがガイドシャフト１
０とトラバースシャーシ４とに当接されるので、調整ねじ３４を正逆回転させてガイドシ
ャフト１０の高さを調整する際にコイルばね３５が伸縮され、その伸縮により変化するば
ね力によりコイルばね３５が斜めに押されて傾斜状態になっても、その傾斜状態を簡単に
解消してコイルばね３５を元の正常状態に戻すことができる。
【産業上の利用可能性】
【００３６】
上記実施の形態では、ディスクプレーヤを例にあげて説明したが、それに限定されるわ
けではなく、例えば再生や記録及び消去を行うディスクレコーダにも適用される。
【図面の簡単な説明】
【００３７】
【図１】本発明の第１の実施の形態であるディスクプレーヤ（ディスク装置）の概略平面図である。
【図２】同下面側から見た要部の斜視図である。
【図３】同要部の拡大縦断面図である。
【図４】（ａ）同要部の拡大横断面図、（ｂ）は同要部のコイルばね傾斜状態の拡大横断面図である。
【図５】同要部の分解横断面図である。
【図６】（ａ）は本発明の第２の実施の形態であるディスクプレーヤ（ディスク装置）の要部の拡大横断面図、（ｂ）は同要部のコイルばね傾斜状態の拡大横断面図である。
【図７】同要部の分解横断面図である。
【図８】従来の一例を示す概略平面図である。
【図９】同概略縦断面図である。
【図１０】（ａ）は同下面側から見た要部の斜視図、（ｂ）は同要部の拡大横断面図である。
【図１１】従来の他の例を示す要部の拡大縦断面図である。
【図１２】（ａ）は同要部の拡大横断面図、（ｂ）は同要部のコイルばね傾斜状態の拡大横断面図である。
【符号の説明】
【００３８】
４              トラバースシャーシ
４ａ            トラバースシャーシの中央開口部
６              ターンテーブル
８              光ピックアップ
１０            ガイドシャフト
３４            調整ねじ
３５            コイルばね（ばね部材）
３５Ａ          コイルばねの小径部
３５Ｂ          コイルばねの大径部
３５ａ，３５ｂ  大径部の端面
３６            凹部
３６ａ          凹部の底面
Ｄ              ディスク
ｄ１            小径部の外径
ｄ２            大径部の外径
ｄ３            ガイドシャフトの外径
ｄ４            凹部の底面の外径
【図１】
2007287266.tif 000003
【図２】
2007287266.tif 000004
【図３】
2007287266.tif 000005
【図４】
2007287266.tif 000006
【図５】
2007287266.tif 000007
【図６】
2007287266.tif 000008
【図７】
2007287266.tif 000009
【図８】
2007287266.tif 000010
【図９】
2007287266.tif 000011
【図１０】
2007287266.tif 000012
【図１１】
2007287266.tif 000013
【図１２】
2007287266.tif 000014